(57)【特許請求の範囲】
【請求項１】
苗植穴１を形成した一対のマルチフィルム２、又はマルチボード３を上下に重合させて培地面Ａに敷設し、この重合部の苗植穴１に苗Ｂを位置させて培地面Ａに移植し、苗Ｂの生育に伴って両マルチフィルム２、又はマルチボード３を相対的に移動させて苗植穴１の重合部を狭く絞ることを特徴とするマルチフィルム敷設方法。
【発明の詳細な説明】
【０００１】
【発明の属する技術分野】
この発明は、マルチフィルム、又はマルチボードの敷設方法に関するもので、野菜苗やイチゴ苗等の移植栽培を行う場合に利用できる。
【０００２】
【従来の技術】
土壌面に敷設する一枚のマルチフィルムに一定間隔に苗植穴を形成して野菜苗を植え付ける技術が知られている。
【０００３】
【発明が解決しようとする課題】
マルチフィルム栽培では、このマルチフィルムに形成される苗植穴の大きさによって栽培の適否が変わることがある。例えば、イチゴのように高い気温の時期にイチゴ苗（作物）の植付を行って冬場の低気温時期に渡って栽培する場合には、培地面に覆われたマルチフィルムの植付穴が小さい場合は、植付時の高温時期に培地面が高温になって、イチゴには高温障害を生じる。更に、マルチフィルムを敷設した後苗を植え付ける場合に、マルチフィルムの植付穴が小さいため、苗の植付作業が困難なものとなってしまう。又、マルチフィルムの植付穴を大きく形成しておくときは、冬場の低温時期の保温効果を低下させたり、防虫効果等を十分に発揮でき難い。
【０００４】
【課題を解決するための手段】
請求項１に記載の発明は、苗植穴１を形成した一対のマルチフィルム２、又はマルチボード３を上下に重合させて培地面Ａに敷設し、この重合部の苗植穴１に苗Ｂを位置させて培地面Ａに移植し、苗Ｂの生育に伴って両マルチフィルム２、又はマルチボード３を相対的に移動させて苗植穴１の重合部を狭く絞ることを特徴とするマルチフィルム敷設方法とする。
【０００５】
【発明の効果】
この発明は、植付穴１を上下に重合させて大きく形成した状態で苗Ｂ植付けを行わせることにより、苗Ｂ植付けを行い易くし、高温期であるときは培地面Ａの温度をこの作物Ｂ株周りの大きい植付穴１から容易に逃散させることができる。又、作物Ｂの生育にともなって外気温が低くなると、前記マルチフィルム２、又はマルチボード３を移動させて、作物株周りに重合の苗植穴１の径を小さく絞ることによって、培地面Ａの温度逃散を少なくすることができる。このように作物Ｂの生育中において植付穴１の大きさを調節して、その時期の作物Ｂ生育に適応した培地Ａ温度の管理を行わせることができる。
【０００６】
【発明の実施の形態】
この発明は、植付穴１を形成するマルチフィルム２、又はマルチボード３を土壌面Ａに敷設して、これらの植付穴１部の土壌面Ａに苗Ｂを植付て栽培するものである。図１、図２においては、マルチフィルム２を敷設して苗の植付栽培を行う場合を示す。このマルチフィルム２は、ビニールシートのように比較的薄く成形された合成樹脂製のシートであり、所定の大きさの円形状の植付穴１を一定の間隔に配置形成している。このようなマルチフィルム２を二枚を一対として用意する。この一対のマルチフィルム２を上下に重合させて、両マルチフィルム２の各植付穴１部を重合一致させる。この状態にあっては、上下の植付穴１が一致した状態で土壌面に開通する有効な植付穴の大きさは最大であり、両マルチフィルム２を移動させて各植付穴１を前後、又は左右にずらせることによって小さくできる。
【０００７】
このように上下の植付穴１を一致させた状態にした重合状態の一対のマルチフィルム２を畝土壌面Ａに敷設して、適宜位置に土壌を載せて敷設状態を固定することができる。各植付穴１部から土壌面Ａに苗Ｂを移植する。このとき各苗Ｂの植付部の植付穴１は最大の状態に形成されているために、土壌面Ａが高温状態になろうとしても、この植付穴１からの放熱量も大きく維持されるために、過度の土壌温度の上昇を防止することができる。
【０００８】
この植付苗Ｂの生育に伴って外気温が低温期になると、一対のマルチフィルム２のうち、左右いずれか一方のマルチフィルム２を横方向へ適量移動させると、上下重合状態の植付穴１が左右にずれて、苗Ｂの株元部周りの植付穴１の開口面積、即ち有効穴面積が狭くなる。このため土壌温度の植付穴１部からの逃散量も少なくすることができ、土壌温度を維持することができる。このようなマルチフィルム２の移動による植付穴１大きさの変更は、外気温の変化や、苗Ｂの生育の状態等に応じて、数段階に渡って行うことができる。
【０００９】
前記各マルチフィルム２は、前後の長手方向に移動させることもできる。又、植付穴１の形成は、無穴のマルチフィルム２を土壌面に敷設した後ちに、植付穴１を形成することもできる。このとき苗植機等によって苗植付けと同時に植付穴１を形成することもできる。
【００１０】
次に図３において上例と異なる点は、前記マルチフィルム２に代えて、合成樹脂製板状の適宜厚さのマルチボード３を用いるものである。又、各植付穴１は方形状に形成している。
更に、図４、図５において上例と異なる点は、前記マルチボード３の植付穴１を切欠部４形態として、一対のマルチボード３の重合によって形成するものである。各マルチボード３の長手方向の片側に沿って凹状の切欠部４と凸状の仕切部５とを交互に形成してラック状形態に形成したものである。この形態では、左右のマルチボード３の間隔を広くした状態で植付穴１は大きく開口でき、又、間隔を狭くすることによって小さく開口できる。このようなマルチボード３の形態では、一対のマルチボード３の位置決めを正確に行わせるために、相互の重合面６に案内凸条７や凹条８を形成して、これらの嵌合によって移動方向を規制案内するように構成することことができる。
【００１１】
図６において、温室９の遮光制御を説明する。栽培床１０を覆って構成される温室９のガラス屋根１１の下側に沿ってブラインド（ブラインド形態のスクリーン、乃至カーテン）１２を敷設する。このブラインド１２のかくブラインド片１３の角度によって、この各ブラインド片１３間の間隔部を通しての日光の栽培床１０への照射光量を変更することができる。このブラインド１２は、角度を変更することによって、日光の照射透過量を多、少に変更される。そこで、左右の方向に渡って長く構成された温室９のガラス屋根１１は、南向きに傾斜にして形成される。このため日光は東西に移動するために、この照射角方向が矢印Ｓ１，Ｓ２，Ｓ３，．．．Ｓｎのように時間と共に変位する。この照射角度の変更によってブラインド片１３の角度が一定であっても、日光の透過量が変化する。
【００１２】
各ブラインド片１３は、ブラインド軸１４を有して、このブラインド軸１４の周りに回動自在に支持される。この各ブラインド軸１４にはピニオン１５を有してラック１６の噛合によって回動される。このラック１６はブラインドモータ１７の正逆転によって駆動される。ブラインド１２は全幅を前部１２Ｆと、中央部１２Ｃと、後部１２Ｒとの各ブラインド群に区分して、各区分毎の各ブラインド片１３のブラインド軸１４ピニオン１５を、同一ラック１６に噛合させて同時回動させる構成としている。
【００１３】
日光センサー１８は、日光の照射方向Ｓを検出するもので、遮光制御のコントローラ１９に入力させている。更に、温度センサー２０は、前部２０Ｆ，中央部２０Ｃ，後部２０Ｒとして、前記各ブラインド区分ごとの栽培床１０の前部１０Ｆ，中央部１０Ｃ，後部１０Ｒに配置される。コントローラ１９では前記の日光センサー１８による照射方向Ｓと、温度センサー２０Ｆ，２０Ｃ，２０Ｒによる各栽培床部１０Ｆ，１０Ｃ，１０Ｒにおける室温とによって、日光照射量を演算しながら、この日光照射量が目標量になるようにブラインドモータ１７Ｆ，１７Ｃ，１７Ｒを駆動して、ブラインド１２Ｆ，１２Ｃ，１２Ｒの角度を変更して、遮光制御するものである。これによって、温室全体に渡って均一な育成、及び栽培を行わせることができる。
【００１４】
次に図８において、上例と異なる点は、温室内で育成されるトマトのような果実の温度を検出しながら、遮光ブラインドの角度を変更調節して、適正な温度管理を行わせて、高温期における例えば、果実の尻腐れや、ベト病、着色不良等の如き生理的障害を防止するものである。そして、遮光制御のコントローラ１９には、果実の温度を検出する果実温度センサー２１を設けて、果実の温度が標準値よりも高いときは、ブラインドモータ１７により遮光度を大きくして温室の光量を少なくするように制御する。又、逆に果実の温度が低いときは遮光度を小さくして光量を多くするように制御する。２２はブラインド片１３の角度を検出するブラインド角センサーである。
【００１５】
図９においては、遮光度を検出する遮光度センサー２３の検出によって、コントローラ２４を経て養液ポンプ２５を駆動させて、栽培床に対する養液の供給量を調整制御するものである。ここに、遮光度はブラインド片１３の角度や、日光の照射方向等に基づいて示され、前記果実の温度と温室の室内温度との間の温度差に応じて適正に決定される。遮光度が高くなって光量が少なくなれば、養液ポンプ２５による養液の供給量が減少する。又、逆に遮光量が低くなれば養液の供給量が増加する。このようにして適正な養液量が供給される。２６は供給された養液量を検出するの養液量センサーである。
【００１６】
図１０において、上例と異なる点は、前記栽培床の形態を断熱形態に形成したもので、温室内の温度変化が栽培床に影響し難くしたものである。このため、栽培ポット２７を載せて生育栽培する栽培ベッド２８の外周を包囲するように発砲スチロール等の断熱材からなるガータ２９を構成する。このガータ２９は上辺部３０を栽培ポット２７の横側面にまで形成して、このガータ２９と栽培ベッド２８との間の液槽部３１に溶液を供給させて栽培することができる。即ち、トンネル形態のガータ２９の上辺部３０に栽培ポット２７を嵌合できるポット穴３２を形成したものである。このため、栽培時には、ポット２７やベッド２８等における遮光と、温度上昇防止がおこなわれる。
【００１７】
図１１〜図１３において、上例と異なる点は、栽培ベッド２８に形成のポット穴３３にポット２７苗Ｂを受けた苗皿３４を載せて置くことができ、この苗皿３４から取り出したポット２７苗Ｂを該ポット穴３３に嵌合させて、育成栽培することが出きるようにしたものである。このとき栽培ベッド２８の外周部はビニールシートで包装している形態では、このビニールシートの上側に栽培ポット２７を載せておくことができ、苗皿３４を不要とすることができる。また、このときの栽培ポット２７をポット穴３３に嵌合させるときは、このビニールシートを切裂いて取外した状態にして行うことができる。
【００１８】
トマト栽培のように果実を収穫する場合には、幹や葉等を成育させる栄養成長と、果実や花を成長させる生殖成長とのバランスを維持する必要がある。これら両者のバランスが崩れると、果実が変形したり、芯腐れや尻腐れが発生し易い。このバランスをとるために、第一花房が咲いた後では、幹や葉を切断することにより前記両者のバランスを調整することができるが、この第一花房が咲くまでの間は、幹の成長が不充分なために、この幹を切断して前記バランスをとることが困難である。
【００１９】
そこで、図１２のように前記苗皿３４を用いて、この上に載せた栽培ポット２７のみによる床材で育苗することにより根毛部の伸長を抑えて、これにより栄養成長を抑えるようにするものである。ここで第一花房が咲いたときに、図１３のようにこの栽培ポット２７を苗皿３４から取り出して栽培ベッド２８のポット穴３３に定植することができる。この方法では、苗皿３４を用いることによって栽培ベッド２８上を利用することができて取扱作業を簡単化できる。
【００２０】
前記栽培ベッドを置いて栽培する温室９において、この床部３５から適宜の高さ位置に上下を仕切る仕切シート３６を設ける。これによって栽培の根圏部を直射日光から防いで、給液の温度上昇を防ぐことができ、暖房時は暖房費を節約できる。
【００２１】
又、この仕切シート３６は一定の方形状形態で多数枚を合わせながら敷き詰める。この各仕切シート３６の合わせ目３７を、誘引紐３８の位置に合わせることによって、この誘引紐３８は仕切シート３６の合わせ目３７を通して上方へ伸ばすことができる。このため仕切シート３６に拘らず、トマトやキュウーリ等の育成に伴って誘引紐３８の巻上げや、巻降ろしを行うことができる。各誘引紐３８の下端は作物の幹部に結び付け、上端部は吊り下げリール３９に巻きかける。４０は仕切シート３６の両端部を固定する支持桟である。
【図面の簡単な説明】
【図１】マルチフイルムの敷設状態を示す斜視図。
【図２】その正面図。
【図３】マルチボードの敷設状態を示す斜視図。
【図４】その一部別実施例を示す平面図。
【図５】その作用を示す平面図と、一部の断面図。
【図６】別実施例に係る温室部の斜視図と、その一部の正面図。
【図７】その遮光制御の制御ブロック図。
【図８】一部別実施例を示す遮光制御のブロック図。
【図９】一部別実施例を示す溶液制御のブロック図。
【図１０】一部別実施例を示す栽培ベッド部の斜視図と、断面図。
【図１１】一部別実施例を示す栽培ベッド部の斜視図。
【図１２】その作用を示す斜視図。
【図１３】その作用を示す斜視図。
【図１４】一部別実施例に係る温室部の作用を示す正面図。
【図１５】その一部の斜視図。
【符号の説明】
１    植付穴
２    マルチフィルム
３    マルチボード
Ａ    土壌面
Ｂ    苗
【図１】
0004524933.tif 000002
【図２】
0004524933.tif 000003
【図３】
0004524933.tif 000004
【図４】
0004524933.tif 000005
【図５】
0004524933.tif 000006
【図６】
0004524933.tif 000007
【図７】
0004524933.tif 000008
【図８】
0004524933.tif 000009
【図９】
0004524933.tif 000010
【図１０】
0004524933.tif 000011
【図１１】
0004524933.tif 000012
【図１２】
0004524933.tif 000013
【図１３】
0004524933.tif 000014
【図１４】
0004524933.tif 000015
【図１５】
0004524933.tif 000016